(57)【要約】【課題】本発明は、交差するフラットケーブルの導体同士を容易かつ確実に接続することができるフラットケーブルの分岐構造を提供することを目的とする。【解決手段】ストライプ状に配設される第１導体を有するフラットケーブル本体と、ストライプ状に配設される第２導体を有するフラットケーブル分岐体とを交差するよう重ね合わせ、第１導体と第２導体とを任意の組合せで導通させるフラットケーブルの分岐構造であって、対向配設されかつ少なくとも対向面側が露出した第１導体及び第２導体間に積層される接続シートを備え、この接続シートが、第１導体及び第２導体の導通を図る組合せに係る第１交差部毎に配設される導電性バンプと、第１導体及び第２導体の全交差部のうち上記第１交差部を除く第２交差部に配設される非導電性バンプと、上記導電性バンプ及び非導電性バンプ以外の領域に積層される接着剤層とを備えることを特徴とする。【選択図】図１
2014220084.tif 000002
【特許請求の範囲】
【請求項１】
ストライプ状に配設される複数の第１導体を有するフラットケーブル本体と、ストライプ状に配設される１又は複数の第２導体を有するフラットケーブル分岐体とを交差するよう重ね合わせ、複数の第１導体と１又は複数の第２導体とを任意の組合せで導通させるフラットケーブルの分岐構造であって、
対向配設されかつ少なくとも対向面側が露出した第１導体及び第２導体間に積層される接続シートを備え、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とするフラットケーブルの分岐構造。
【請求項２】
上記導電性バンプ及び非導電性バンプが接着剤層の一方の面より突出している請求項１に記載のフラットケーブルの分岐構造。
【請求項３】
上記導電性バンプ及び非導電性バンプの接着剤層の一方の面からの平均突出高さが１μｍ以上１５μｍ以下である請求項２に記載のフラットケーブルの分岐構造。
【請求項４】
上記接続シートの少なくとも一方の面が平坦である請求項１、請求項２又は請求項３に記載のフラットケーブルの分岐構造。
【請求項５】
上記導電性バンプが導電性ペーストの印刷により形成されている請求項１から請求項４のいずれか１項に記載のフラットケーブルの分岐構造。
【請求項６】
上記非導電性バンプが１又は複数の第２交差部毎に配設されている請求項１から請求項５のいずれか１項に記載のフラットケーブルの分岐構造。
【請求項７】
上記フラットケーブル分岐体の１又は複数の第２導体が交差部分で両面露出し、
この第２導体の外面側に接着剤層を介して保護フィルムが被覆されている請求項１から請求項６のいずれか１項に記載のフラットケーブルの分岐構造。
【請求項８】
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルであって、
上記フラットケーブル本体とフラットケーブル分岐体との交差部分に請求項１から請求項７のいずれか１項に記載のフラットケーブルの分岐構造を有することを特徴とする分岐フラットケーブル。
【請求項９】
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルの製造方法であって、
対向配設されかつ少なくとも対向面側が露出した第１導体及び第２導体間に接続シートを重畳する工程と、
上記第１導体、第２導体及び接続シートを熱圧着する工程とを有し、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とする分岐フラットケーブルの製造方法。
【発明の詳細な説明】
【技術分野】
【０００１】
本発明は、フラットケーブルの分岐構造、分岐フラットケーブル及び分岐フラットケーブルの製造方法に関する。
【背景技術】
【０００２】
電子機器内に収容される電子部品の電気的接続にフラットケーブルが従来から用いられている。このフラットケーブルは、平板状の複数の導体を２枚の絶縁フィルム間に挟んで絶縁被覆した柔軟なケーブルであるが、電子機器の設計によってはフラットケーブルを異なる角度に分岐させる必要が生じる。このようにフラットケーブルを分岐させる方法としては、例えばフレキシブルプリント配線板等の基板やかしめ端子などを用い、交差するフラットケーブルの導体同士を接続する方法がある。しかし、上記基板を用いた場合、フラットケーブルを分岐させる手順が複雑となる。また、上記かしめ端子を用いた場合、フラットケーブルの導体間隔に制限が生じるほか、接続の信頼性が低い。
【０００３】
そこで、フラットケーブルの導体間隔に制限されず、かつ比較的容易にフラットケーブルを分岐させる方法が提案されている（特開平７−２６３０４９号公報参照）。この方法は、交差するフラットケーブル間に接続体を配設することでこれらを接続するものである。上記接続体は、絶縁性フィルムと、この絶縁性フィルムの両面に積層された接着剤層と、この絶縁性フィルム及び接着剤層を貫通する導電部とを有し、この導電部によって交差させた一対のフラットケーブルを導通させる導体同士を電気的に接続するように構成されている。
【先行技術文献】
【特許文献】
【０００４】
【特許文献１】特開平７−２６３０４９号公報
【発明の概要】
【発明が解決しようとする課題】
【０００５】
上記接続体を用いた分岐構造は、この接続体を介して交差する一対のフラットケーブルを積層した後、これらを圧着することで形成される。しかし、圧着によって上記接続体の接着剤層が流動するため、導電部が設けられている箇所とそれ以外の個所（接着剤層の積層個所）とで接続体の厚さが変化し、結果として分岐構造の厚さが不均一となる。その結果、分岐構造において導体に応力が加わり、導体間の接続の信頼性が低下するおそれがある。また、接続体の厚さの不均一に伴って分岐構造の接着強度が低下するおそれもある。
【０００６】
本発明は、上記のような不都合に鑑みてなされたものであり、接着強度及び電気的接続の信頼性に優れ、フラットケーブルを容易かつ確実に分岐させることができるフラットケーブルの分岐構造、この分岐構造を有する分岐フラットケーブル及びその製造方法を提供することを目的とする。
【課題を解決するための手段】
【０００７】
上記課題を解決するためになされた発明は、
ストライプ状に配設される複数の第１導体を有するフラットケーブル本体と、ストライプ状に配設される１又は複数の第２導体を有するフラットケーブル分岐体とを交差するよう重ね合わせ、複数の第１導体と１又は複数の第２導体とを任意の組合せで導通させるフラットケーブルの分岐構造であって、
対向配設されかつ少なくとも対向面側が露出した第１導体及び第２導体間に積層される接続シートを備え、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とする。
【０００８】
上記課題を解決するためになされた別の発明は、
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルであって、
上記フラットケーブル本体とフラットケーブル分岐体との交差部分に当該フラットケーブルの分岐構造を有することを特徴とする。
【０００９】
上記課題を解決するためになされたさらに別の発明は、
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルの製造方法であって、
対向配設されかつ少なくとも対向面側が露出した第１導体及び第２導体間に接続シートを重畳する工程と、
上記第１導体、第２導体及び接続シートを熱圧着する工程とを有し、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とする。
【発明の効果】
【００１０】
本発明のフラットケーブルの分岐構造は、交差するフラットケーブルの導体同士を容易かつ確実に接続することができ、接着強度及び電気的接続の信頼性に優れる。また、本発明の分岐フラットケーブルは、製造性及び接続信頼性に優れる。
【図面の簡単な説明】
【００１１】
【図１】図１は、本発明の一実施形態のフラットケーブルの分岐構造を示す模式的断面図である。
【図２】図２は、図１のフラットケーブルの分岐構造のフラットケーブル本体の模式的平面図である。
【図３】図３は、図２のＡ−Ａ線での模式的断面図である。
【図４】図４は、図１のフラットケーブルの分岐構造のフラットケーブル分岐体の模式的平面図である。
【図５】図５は、図１のフラットケーブルの分岐構造の接続シートの模式的平面図である。
【図６】図６は、図５のＢ−Ｂ線での模式的断面図である。
【図７Ａ】図７Ａは、図５の接続シートの製造方法を示す模式的斜視図である。
【図７Ｂ】図７Ｂは、図５の接続シートの製造方法を示す模式的斜視図である。
【図７Ｃ】図７Ｃは、図５の接続シートの製造方法を示す模式的斜視図である。
【図８Ａ】図８Ａは、図１のフラットケーブルの分岐構造を有する分岐フラットケーブルの製造方法を示す模式的斜視図である。
【図８Ｂ】図８Ｂは、図１のフラットケーブルの分岐構造を有する分岐フラットケーブルの製造方法を示す模式的斜視図である。
【図８Ｃ】図８Ｃは、図１のフラットケーブルの分岐構造を有する分岐フラットケーブルの製造方法を示す模式的斜視図である。
【図８Ｄ】図８Ｄは、図１のフラットケーブルの分岐構造を有する分岐フラットケーブルの製造方法を示す模式的斜視図である。
【発明を実施するための形態】
【００１２】
［本発明の実施形態の説明］
本発明は、
ストライプ状に配設される複数の第１導体を有するフラットケーブル本体と、ストライプ状に配設される１又は複数の第２導体を有するフラットケーブル分岐体とを交差するよう重ね合わせ、複数の第１導体と１又は複数の第２導体とを任意の組合せで導通させるフラットケーブルの分岐構造であって、
対向配設されかつ少なくとも対向面側が露出した第１導体及び第２導体間に積層される接続シートを備え、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とする。
【００１３】
当該フラットケーブルの分岐構造は、導通させる第１導体及び第２導体の交差部（第１交差部）に導電性バンプを有し、それ以外の第１導体及び第２導体の交差部（第２交差部）に非導電性バンプを有する接続シートを備えている。そのため、当該フラットケーブル分岐構造は、第１導体及び第２導体の間にこの接続シートを配設し圧着により分岐構造を得ることで容易にこれらの導体を接続することができる。また、第１導体及び第２導体の交差部全てにバンプが配設されているため、分岐構造の厚さのバラツキを抑えて、接着強度及び接続信頼性を高めることができる。さらに、上記接続シートの導電性バンプ及び非導電性バンプの配設は適宜変更が可能であるため、第１導体及び第２導体の本数、導通させる導体の組合せ、交差角度等が変わっても容易に対応が可能である。そのため、当該フラットケーブルの分岐構造は、フラットケーブル本体の第１導体とフラットケーブル分岐体の第２導体とを容易かつ確実に接続してフラットケーブルを分岐させることができる。
【００１４】
上記導電性バンプ及び非導電性バンプが接着剤層の一方の面より突出しているとよい。このように導電性バンプ及び非導電性バンプを接着剤層の一方の面より突出させることで、分岐構造の厚さのバラツキを抑えつつ、導体と導電性バンプとの間に接着剤が入り込こむことを防いで第１導体及び第２導体をより確実に電気的に接続することができる。
【００１５】
上記導電性バンプ及び非導電性バンプの接着剤層の一方の面からの平均突出高さとしては１μｍ以上１５μｍ以下が好ましい。このように上記導電性バンプ及び非導電性バンプの接着剤層の一方の面からの平均突出高さを上記範囲内とすることで、導電性バンプ及び非導電性バンプ周囲の接着剤によってフラットケーブル本体とフラットケーブル分岐体との接着強度を維持しつつ、導電性バンプによって導体間の電気的接続をより容易かつ確実にすることができる。
【００１６】
上記接続シートの少なくとも一方の面が平坦であるとよい。このように接続シートの一方の面が平坦となるように、例えば上記導電性バンプ及び非導電性バンプの底面を接着剤層の一方の面と面一（フラット）とすることで、接続シートを第１導体又は第２導体に積層する際の位置決めが容易になるほか、接着剤層の一方の面をより確実にフラットケーブル本体又はフラットケーブル分岐体に接着させることができるため、当該フラットケーブルの分岐構造の接着強度をさらに高めることができる。
【００１７】
上記導電性バンプが導電性ペーストの印刷により形成されているとよい。このように導電性バンプを導電性ペーストの印刷により形成することで、容易かつ確実に、上記第１交差部に導電性バンプを配設することができる。
【００１８】
上記非導電性バンプが１又は複数の第２交差部毎に配設されているとよい。このように非導電性バンプを第２交差部毎に配設することで、分岐構造の厚さのバラツキを抑えつつ接着剤層の平面面積を大きくすることができるため、当該フラットケーブルの分岐構造の接着強度をより高めることができる。
【００１９】
上記フラットケーブル分岐体の１又は複数の第２導体が交差部分で両面露出し、この第２導体の外面側に接着剤層を介して保護フィルムが被覆されているとよい。このようにフラットケーブル分岐体の外面側（第２導体の他方の面側）から保護フィルムを被覆することで、当該フラットケーブルの分岐構造の形成が容易となると共に、保護フィルムに積層された接着剤層によって分岐構造の接着強度をより高めることができる。
【００２０】
また、別の本発明は、
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルであって、
上記フラットケーブル本体とフラットケーブル分岐体との交差部分に当該フラットケーブルの分岐構造を有することを特徴とする。
【００２１】
当該分岐フラットケーブルは、当該フラットケーブルの分岐構造を有するため、上記接続シートを介してフラットケーブル本体の第１導体とフラットケーブル分岐体の第２導体とが容易かつ確実に接続される。そのため、当該分岐フラットケーブルは、製造性及び信頼性に優れる。
【００２２】
また、さらに別の本発明は、
ストライプ状に配設される複数の第１導体を有するフラットケーブル本体と、ストライプ状に配設される１又は複数の第２導体を有し、フラットケーブル本体と交差するよう重ね合わされるフラットケーブル分岐体とを備え、複数の第１導体と１又は複数の第２導体とが任意の組合せで導通する分岐フラットケーブルの製造方法であって、
対向配設されかつ少なくとも対向面側が露出した第１導体及び第２導体間に接続シートを重畳する工程と、
上記第１導体、第２導体及び接続シートを熱圧着する工程とを有し、
この接続シートが、
複数の第１導体及び１又は複数の第２導体の導通を図る組合せに係る１又は複数の第１交差部毎に配設される導電性バンプと、
複数の第１導体及び１又は複数の第２導体の全交差部のうち上記第１交差部を除く１又は複数の第２交差部に配設される非導電性バンプと、
上記導電性バンプ及び非導電性バンプ以外の領域に積層される接着剤層と
を備えることを特徴とする。
【００２３】
当該分岐フラットケーブルの製造方法は、フラットケーブル本体の第１導体とフラットケーブル分岐体の第２導体とが電気的に接続された分岐フラットケーブルを容易かつ確実に得ることができる。
【００２４】
［本発明の実施形態の詳細］
以下、本発明に係るフラットケーブルの分岐構造の実施形態について図面を参照しつつ詳説する。
【００２５】
図１のフラットケーブル分岐構造１は、図２及び図３に示すストライプ状に配設される複数の第１導体２ａを有するフラットケーブル本体２と、図４に示すストライプ状に配設される複数の第２導体３ａを有するフラットケーブル分岐体３とを略直角に交差するよう重ね合わせ、複数の第１導体２ａと複数の第２導体３ａとを任意の組合せで導通させたものである。当該フラットケーブル分岐構造１は、図５及び図６に示す対向配設された第１導体２ａ及び第２導体３ａ間に積層される接続シート４を備え、第２導体３ａの外面側に保護フィルム接着剤層５ａを介して保護フィルム５が被覆されている。
【００２６】
＜フラットケーブル本体＞
フラットケーブル本体２はストライプ状に配設される複数の第１導体２ａと、この第１導体２ａの表面及び裏面側にフラットケーブル接着剤層２ｃを介して積層される絶縁フィルム２ｂとを有する。
【００２７】
第１導体２ａは、ストライプ状に配設される平板状の導体であり、絶縁フィルム２ｂにフラットケーブル接着剤層２ｃを介して積層されている。この第１導体２ａは、導電性を有する材料で形成可能であるが、一般的には例えば銅によって形成されている。
【００２８】
第１導体２ａは、表面にメッキ処理が施され、表面にメッキ層（図示せず）が積層されている。このメッキ処理としては、錫メッキ又は銀メッキが好ましい。メッキ処理によって分岐作業時に露出した第１導体２ａが破損すること等を防止することができる。
【００２９】
上記第１導体２ａの平均厚さ（メッキ層を含む）の下限としては、１０μｍが好ましく、２５μｍがより好ましい。第１導体２ａの平均厚さが上記下限未満の場合、導通性が不十分となるおそれがある。一方、第１導体２ａの平均厚さ（メッキを除く）の上限としては、１００μｍが好ましく、５０μｍがより好ましい。第１導体２ａの平均厚さが上記上限を超える場合、当該フラットケーブル分岐構造１が不要に厚くなるおそれがある。
【００３０】
上記第１導体２ａの平均幅（メッキ層を含む）の下限としては、０．１ｍｍが好ましく、０．２ｍｍがより好ましい。第１導体２ａの平均幅が上記下限未満の場合、導通性が不十分となるおそれがある。一方、第１導体２ａの平均幅の上限としては、１ｍｍが好ましく、０．４ｍｍがより好ましい。第１導体２ａの平均幅が上記上限を超える場合、当該フラットケーブル分岐構造１の幅が不要に大きくなるおそれがある。
【００３１】
上記第１導体２ａの平均間隔（ピッチ）の下限としては、０．２ｍｍが好ましく、０．３ｍｍがより好ましい。第１導体２ａの平均間隔が上記下限未満の場合、隣接する第１導体２ａ同士が接触するおそれがある。一方、第１導体２ａの平均間隔の上限としては、１．２ｍｍが好ましく、１．０ｍｍがより好ましい。第１導体２ａの平均間隔が上記上限を超える場合、当該フラットケーブル分岐構造１の幅が不要に大きくなるおそれがある。
【００３２】
絶縁フィルム２ｂは、可撓性及び電気絶縁性を有するシート状部材で構成されている。この絶縁フィルム２ｂとしては、具体的には樹脂フィルムを採用可能である。この樹脂フィルムの材料としては、例えばポリイミド樹脂、ポリエチレンテレフタレート樹脂等が好適に用いられる。
【００３３】
絶縁フィルム２ｂの軟化温度の下限としては、１００℃が好ましく、１１０℃がより好ましく、１２０℃がさらに好ましい。絶縁フィルム２ｂの軟化温度が上記下限未満の場合、当該フラットケーブル分岐構造１の熱圧着時に絶縁フィルム２ｂが軟化して変形するおそれがある。一方、絶縁フィルム２ｂの軟化温度の上限としては、特に限定されないが、例えば２００℃とすることができる。なお、軟化温度とは、ＪＩＳ  Ｋ７１９６（１９９１）に準拠して測定される軟化温度を意味する。
【００３４】
絶縁フィルム２ｂのガラス転移温度の下限としては、５０℃が好ましく、６０℃がより好ましく、６５℃がさらに好ましい。絶縁フィルム２ｂのガラス転移温度が上記下限未満の場合、当該フラットケーブル分岐構造１の熱圧着後の絶縁フィルム２ｂの強度が不十分となるおそれがある。一方、絶縁フィルム２ｂのガラス転移温度の上限としては、特に限定されないが、例えば２００℃とすることができる。なお、ガラス転移温度とは、ＪＩＳ  Ｋ７１２１（１９８７）に準拠して測定される中間点ガラス転移温度を意味する。
【００３５】
絶縁フィルム２ｂの平均厚さの下限としては、５μｍが好ましく、１０μｍがより好ましい。絶縁フィルム２ｂの平均厚さが上記下限未満の場合、絶縁フィルム２ｂの強度が不十分となるおそれがある。一方、絶縁フィルム２ｂの平均厚さの上限としては、４０μｍが好ましく、２０μｍがより好ましい。絶縁フィルム２ｂの平均厚さが上記上限を超える場合、当該フラットケーブル分岐構造１が不要に厚くなるおそれがある。
【００３６】
上記フラットケーブル接着剤層２ｃを構成する接着剤としては、特に限定されるものではないが、柔軟性や耐熱性に優れたものが好ましく、かかる接着剤としては、例えばエポキシ樹脂、ポリイミド樹脂、ポリエステル樹脂、フェノール樹脂、ポリウレタン樹脂、アクリル樹脂、メラミン樹脂、ポリアミドイミド樹脂等などの各種の樹脂系の接着剤が挙げられる。これらの中でも、熱可塑性で、かつ軟化温度及びガラス転移温度が後述する接続シート４の非導電性バンプ４ｂよりも低いものが好ましい。
【００３７】
フラットケーブル接着剤層２ｃの軟化温度の下限としては、８０℃が好ましく、９０℃がより好ましく、１００℃がさらに好ましい。フラットケーブル接着剤層２ｃの軟化温度が上記下限未満の場合、当該フラットケーブル分岐構造１の熱圧着時にフラットケーブル本体２が軟化して変形するおそれがある。一方、フラットケーブル接着剤層２ｃの軟化温度の上限としては、特に限定されないが、例えば２００℃とすることができる。
【００３８】
フラットケーブル接着剤層２ｃのガラス転移温度の下限としては、５０℃が好ましく、６０℃がより好ましく、７０℃がさらに好ましい。フラットケーブル接着剤層２ｃのガラス転移温度が上記下限未満の場合、当該フラットケーブル分岐構造１の熱圧着後の強度が不十分となるおそれがある。一方、フラットケーブル接着剤層２ｃのガラス転移温度の上限としては、特に限定されないが、例えば２００℃とすることができる。
【００３９】
フラットケーブル接着剤層２ｃの平均厚さ（絶縁フィルム２ｂ及び第１導体２ａ間の平均距離）の下限としては、５μｍが好ましく、１５μｍがより好ましい。フラットケーブル接着剤層２ｃの平均厚さが上記下限未満の場合、絶縁フィルム２ｂと第１導体２ａとの接着強度が不十分となるおそれがある。一方、フラットケーブル接着剤層２ｃの平均厚さの上限としては、５０μｍが好ましく、４０μｍがより好ましい。フラットケーブル接着剤層２ｃの平均厚さが上記上限を超える場合、当該フラットケーブル分岐構造１が不要に厚くなるおそれがある。
【００４０】
上記フラットケーブル本体２は、フラットケーブル分岐体３と交差して重ね合わさる領域（以下、重ね合わせ領域と呼称することがある）において、表面側（重ね合わせ方向側）の絶縁フィルム２ｂ及び接着剤を有さず、第１導体２ａの第２導体３ａとの対向面側（表面側）が露出している。この第１導体２ａが露出した重ね合わせ領域の表面に後述する接続シート４が積層され、その表面側にさらにフラットケーブル分岐体３の第２導体３ａ及び保護フィルム５が積層される。
【００４１】
＜フラットケーブル分岐体＞
フラットケーブル分岐体３はストライプ状に配設される複数の第２導体３ａと、この第２導体３ａの表面及び裏面側にフラットケーブル接着剤層を介して積層される絶縁フィルム３ｂとを有する。第２導体３ａ、絶縁フィルム３ｂ、及びフラットケーブル接着剤層は、それぞれ上記フラットケーブル本体２の第１導体２ａ、絶縁フィルム２ｂ、及びフラットケーブル接着剤層２ｃと同様とすることができる。
【００４２】
フラットケーブル分岐体３は、その長手方向の一端において表面及び裏面側の絶縁フィルム３ｂ及び接着剤を有さず、第２導体３ａの両面側が露出している。この露出した第２導体３ａは、上記重ね合わせ領域の表面に積層された接続シート４の表面に積層されている。具体的には、複数の第２導体３ａは、それぞれ接続シート４を介して複数の第１導体２ａと略直角に交差するように積層されている。
【００４３】
＜接続シート＞
接続シート４は、複数の第１導体２ａ及び複数の第２導体３ａの導通を図る組合せに係る複数の第１交差部毎に配設される導電性バンプ４ａと、複数の第１導体２ａ及び複数の第２導体３ａの全交差部のうち上記第１交差部を除く複数の第２交差部毎に配設される非導電性バンプ４ｂと、上記導電性バンプ４ａ及び非導電性バンプ４ｂ以外の領域に積層される接続シート接着剤層４ｃとを有する。つまり、接続シート４は、格子点状に配設される複数の導電性バンプ４ａ及び複数の非導電性バンプ４ｂと、この導電性バンプ４ａ及び非導電性バンプ４ｂ以外の領域に積層される接続シート接着剤層４ｃとを有する。
【００４４】
上記各バンプの配設について、図２、図４及び図５を用いて具体的に説明する。フラットケーブル本体２の第１導体２ａを図中上方から導体Ｐ１，Ｐ２，Ｐ３とし、フラットケーブル分岐体３の第２導体３ａを図中左方から導体Ｑ１，Ｑ２，Ｑ３とする。また、接続シート４の表面において、フラットケーブル本体２のｎ番目の導体Ｐｎとフラットケーブル分岐体３のｍ番目の導体Ｑｍとが交差する領域を交差部Ｒｎｍとする。例えば導体Ｐ１と導体Ｑ３とが交差する領域は交差部Ｒ１３である。
【００４５】
当該フラットケーブル分岐構造１では、導体Ｐ１及び導体Ｑ１、導体Ｐ２及び導体Ｑ２、導体Ｐ３及び導体Ｑ３がそれぞれ導通させる組合せである。つまり、導体Ｐ１を導体Ｑ１で、導体Ｐ２を導体Ｑ２で、導体Ｐ３を導体Ｑ３でそれぞれ交差方向に分岐させている。上記導通させる組合せの導体が交差する交差部Ｒ１１，Ｒ２２，Ｒ３３が第１交差部であり、これらの交差部には導電性バンプ４ａがそれぞれ１対１で配設されている。この第１交差部以外の交差部Ｒ１２，Ｒ１３，Ｒ２１，Ｒ２３，Ｒ３１，Ｒ３２は第２交差部であり、これらの交差部には非導電性バンプ４ｂがそれぞれ１対１で配設されている。
【００４６】
なお、導通させる第１導体２ａと第２導体３ａとの組み合わせは任意に選択することができ、例えば導体Ｐ１及び導体Ｑ２、導体Ｐ２及び導体Ｑ３、導体Ｐ３及び導体Ｑ１をそれぞれ導通させる組合せとすることもできる。この場合、交差部Ｒ１２，Ｒ２３，Ｒ３１が第１交差部となり、これらの交差部に導電性バンプ４ａが配設され、これら以外の交差部に非導電性バンプ４ｂが配設される。
【００４７】
導電性バンプ４ａ及び非導電性バンプ４ｂは、図６に示すように接続シート接着剤層４ｃ表面より突出している。また、接続シート４の裏面が平坦となるように導電性バンプ４ａ及び非導電性バンプ４ｂの底面は接続シート接着剤層４ｃの裏面と面一となっている。さらに、導電性バンプ４ａの表面側は図６に示すように凸形状となっていることが好ましい。このように導電性バンプ４ａを凸形状とすることで、第２導体３ａへの当接圧を高めてより確実に第２導体３ａと導電性バンプ４ａとを導通させることができる。
【００４８】
また、導電性バンプ４ａ及び非導電性バンプ４ｂの平面形状は特に限定されず、円形、矩形等の任意の形状にすることが可能であるが、交差する第１導体２ａ及び第２導体３ａとの接続性を考えて等方性を有する円形等の形状が好ましい。
【００４９】
上記導電性バンプ４ａの材質としては、導電性を有するものであれば特に限定されないが、導電性ペーストを好適に用いることができる。導電性ペーストを用いることで、導電性バンプ４ａを容易かつ確実に接続シート４の任意の位置に形成することができ、また上記凸形状の導電性バンプ４ａを形成することができる。
【００５０】
上記導電性ペーストとしては、金属粒子等の導電性粒子をバインダーに分散したものが使用できる。
【００５１】
上記金属粒子としては、例えば銀、白金、金、銅、ニッケル、パラジウム、ハンダ等を挙げることができ、これらを単体で又は２種以上混合して用いることができる。これらの中でも優れた導電性を示す銀粉末、銀コート銅粉末、ハンダ粉末等が好ましい。銀粉末を用いた導電性ペーストとしては、例えば特開２００７−６６８２４号公報に開示される導電性ペーストを好適に用いることができる。
【００５２】
導電性バンプ４ａを形成する導電性ペーストの導電性粒子の含有率の下限としては、４０体積％が好ましく、４５体積％がより好ましい。導電性粒子の含有率が上記下限未満の場合、導体間の電気的接続性が低下するおそれがある。一方、導電性バンプ４ａを形成する導電性ペーストの導電性粒子の含有率の上限としては、９５体積％が好ましく、８５体積％がより好ましい。導電性ペーストの導電性粒子の含有率が上記上限を超える場合、導電性ペーストの流動性が低下し、導電性バンプ４ａの形成が困難になるおそれがある。
【００５３】
上記バインダーとしては、例えばエポキシ樹脂、フェノール樹脂、ポリエステル樹脂、ポリウレタン樹脂、アクリル樹脂、メラミン樹脂、ポリイミド樹脂、ポリアミドイミド樹脂等を挙げることができ、これらの中から１種又は２種以上を用いることができる。これらの中でも導電性ペーストの耐熱性を向上できる熱硬化性樹脂が好ましく、エポキシ樹脂が特に好ましい。
【００５４】
導電性ペーストに用いるエポキシ樹脂としては、例えばビスフェノールＡ型、Ｆ型、Ｓ型、ＡＤ型、ビスフェノールＡ型とビスフェノールＦ型との共重合型、ナフタレン型、ノボラック型、ビフェニル型、ジシクロペンタジエン型等のエポキシ樹脂や、高分子エポキシ樹脂であるフェノキシ樹脂を挙げることができる。
【００５５】
また、上記バインダーは溶剤に溶解して使用することができる。この溶剤としては、例えばエステル系、エーテル系、ケトン系、エーテルエステル系、アルコール系、炭化水素系、アミン系等の有機溶剤を挙げることができ、これらの中から１種又は２種以上を用いることができる。なお、導電性バンプ４ａを導電性ペーストの印刷によって形成する場合、印刷性に優れた高沸点溶剤を用いることが好ましく、具体的にはカルビトールアセテートやブチルカルビトールアセテート等を用いることが好ましい。
【００５６】
さらに、上記バインダーには硬化剤を添加することができる。この硬化剤としては、例えばアミン系硬化剤、ポリアミノアミド系硬化剤、酸及び酸無水物系硬化剤、塩基性活性水素化合物、第三アミノ類、イミダゾール類等を挙げることができる。
【００５７】
導電性ペーストには、上述した成分に加えて、増粘剤、レベリング剤等の助剤を添加することができる。また、導電性ペーストは、上記各成分を例えば三本ロールや回転攪拌脱泡機等により混合することで得ることができる。
【００５８】
上記導電性バンプ４ａの平均幅の下限としては、０．１ｍｍが好ましく、０．２ｍｍがより好ましい。導電性バンプ４ａの平均幅が上記下限未満の場合、第１導体２ａと第２導体３ａとの導通性が不十分となるおそれがある。一方、導電性バンプ４ａの平均幅の上限としては、０．５ｍｍが好ましく、０．４ｍｍがより好ましい。導電性バンプ４ａの平均幅が上記上限を超える場合、導通させない他の導体と導電性バンプ４ａとが接触するおそれや、接続シート接着剤層４ｃの平面面積の減少によって当該フラットケーブル分岐構造１の接着強度が不十分となるおそれがある。なお、導電性バンプ４ａの平均幅とは、導電性バンプ４ａの高さ方向中央を通り接続シート４と平行な断面に内接する円の直径の平均を意味する。また、導電性バンプ４ａの平均幅は、上記第１導体２ａ及び第２導体３ａの平均幅と略同じとすることが好ましい。つまり、導電性バンプ４ａの平均幅は、上記第１導体２ａ及び第２導体３ａの平均幅の８０％以上１２０％以下とすることが好ましい。
【００５９】
上記導電性バンプ４ａの平均高さの下限としては、５μｍが好ましく、１５μｍがより好ましい。導電性バンプ４ａの平均高さが上記下限未満の場合、第１導体２ａ及び第２導体３ａとの導通性が不十分となるおそれがある。一方、導電性バンプ４ａの平均高さの上限としては、５０μｍが好ましく、４０μｍがより好ましい。導電性バンプ４ａの平均高さが上記上限を超える場合、当該フラットケーブル分岐構造１が不要に厚くなるおそれがある。なお、導電性バンプ４ａの平均高さとは、導電性バンプ４ａの最大高さの平均を意味する。
【００６０】
上記導電性バンプ４ａの接続シート接着剤層４ｃ表面からの平均突出高さの下限としては、１μｍが好ましく、８μｍがより好ましい。導電性バンプ４ａの接続シート接着剤層４ｃ表面からの平均突出高さが上記下限未満の場合、導電性バンプ４ａと第２導体３ａとの間に接着剤が入り込んで第１導体２ａ及び第２導体３ａとの導通性が不十分となるおそれがある。一方、導電性バンプ４ａの接続シート接着剤層４ｃ表面からの平均突出高さの上限としては、１５μｍが好ましく、１２μｍがより好ましい。導電性バンプ４ａの接続シート接着剤層４ｃ表面からの平均突出高さが上記上限を超える場合、導電性バンプ４ａの周囲に接着剤が十分に充填されず、当該フラットケーブル分岐構造１の接着強度が不十分となるおそれがある。なお、導電性バンプ４ａの接続シート接着剤層４ｃ表面からの平均突出高さとは、導電性バンプ４ａの平均高さから接続シート接着剤層４ｃの平均厚さを引いたものである。
【００６１】
上記非導電性バンプ４ｂの材質としては、絶縁性が高いことに加えて、軟化温度及びガラス転移温度が接続シート接着剤層４ｃよりも高い樹脂を用いることが好ましい。具体的には、例えばポリエステル樹脂、ポリアミド樹脂、アクリル樹脂、ポリアセタール樹脂、フェノキシ樹脂等の熱可塑性樹脂を挙げることができる。また、エポキシ等の熱硬化性接着剤を用いることもできる。
【００６２】
非導電性バンプ４ｂの軟化温度の下限としては、８０℃が好ましく、１１０℃がより好ましく、１２０℃がさらに好ましい。非導電性バンプ４ｂの軟化温度が上記下限未満の場合、当該フラットケーブル分岐構造１の熱圧着時に非導電性バンプ４ｂが軟化して変形するおそれがある。一方、非導電性バンプ４ｂの軟化温度の上限としては、特に限定されないが、例えば２００℃とすることができる。
【００６３】
非導電性バンプ４ｂのガラス転移温度の下限としては、７０℃が好ましく、７５℃がより好ましく、８０℃がさらに好ましい。非導電性バンプ４ｂのガラス転移温度が上記下限未満の場合、当該フラットケーブル分岐構造１の熱圧着後の非導電性バンプ４ｂの強度が不十分となるおそれがある。一方、非導電性バンプ４ｂのガラス転移温度の上限としては、特に限定されないが、例えば２００℃とすることができる。
【００６４】
非導電性バンプ４ｂを構成する樹脂には、軟化温度を高めるために硬化剤を添加することが好ましい。この硬化剤としては、例えばイソシアネート系硬化剤を用いることができる。
【００６５】
非導電性バンプ４ｂの形成方法は特に限定されないが、例えば上記樹脂を溶剤に溶かして印刷する方法を用いることができる。この溶剤としては印刷時に目詰まりを起こさないように沸点の高いものが好ましく、例えばイソホロン、ベンジルアルコール、ブチルカルビトールアセテート、シクロヘキサン等を用いることができる。
【００６６】
上記非導電性バンプ４ｂの平均幅の下限としては、０．１ｍｍが好ましく、０．２ｍｍがより好ましい。非導電性バンプ４ｂの平均幅が上記下限未満の場合、導通させない第１導体２ａと第２導体３ａとの絶縁性を十分確保できないおそれがある。一方、非導電性バンプ４ｂの平均幅の上限としては、０．５ｍｍが好ましく、０．４ｍｍがより好ましい。非導電性バンプ４ｂの平均幅が上記上限を超える場合、接続シート接着剤層４ｃの平面面積の減少によって、当該フラットケーブル分岐構造１の接着強度が不十分となるおそれがある。なお、非導電性バンプ４ｂａの平均幅とは、非導電性バンプ４ｂの高さ方向中央を通り接続シート４と平行な断面に内接する円の直径の平均を意味する。また、非導電性バンプ４ｂの平均幅は、上記導電性バンプ４ａ同様、上記第１導体２ａ及び第２導体３ａの平均幅と略同じとすることが好ましい。
【００６７】
上記非導電性バンプ４ｂの平均高さは、上記導電性バンプ４ａと略同じとすることが好ましい。つまり、非導電性バンプ４ｂの平均高さは、導電性バンプ４ａの平均高さの８０％以上１２０％以下とすることが好ましい。非導電性バンプ４ｂの平均高さが上記導電性バンプ４ａの平均高さよりもある程度大きい又は小さい場合、第１交差部と第２交差部とで接続シート４の高さが異なり当該フラットケーブル分岐構造１の厚さにバラツキが発生し、第１導体２ａ及び第２導体３ａに不要な応力が加わるおそれがある。ただし、非導電性バンプ４ｂが導電性バンプ４ａよりも高いと、第１導体２ａ及び第２導体３ａの導通性が低下するおそれがあるため、非導電性バンプ４ｂの平均高さは、導電性バンプ４ａの平均高さの８０％以上１００％以下とすることがより好ましい。
【００６８】
接続シート接着剤層４ｃは、上記導電性バンプ４ａ及び非導電性バンプ４ｂの平面視周囲を充填する接着剤で形成されている。この接着剤としては、熱可塑性樹脂が好ましく、例えばポリアミド樹脂、ポリエステル樹脂、アクリル樹脂、メラミン樹脂、ポリアミドイミド樹脂、ポリアセタール樹脂、フェノキシ樹脂等を挙げることができる。また接続シート接着剤層４ｃに用いる接着剤は、上記非導電性バンプ４ｂよりも軟化温度及びガラス転移温度が低いものが好ましい。
【００６９】
なお、接続シート接着剤層４ｃには、印刷時の視認性を高め、例えばカメラによるアライメントを容易にできるように顔料等の着色剤を添加してもよい。
【００７０】
接続シート接着剤層４ｃの軟化温度の上限としては、１５０℃が好ましく、１４０℃がより好ましく、１３０℃がさらに好ましい。接続シート接着剤層４ｃの軟化温度が上記上限を超える場合、当該フラットケーブル分岐構造１の熱圧着時の温度を高くするする必要があるため生産性が低下するおそれがある。一方、接続シート接着剤層４ｃの軟化温度の下限としては、５０℃が好ましく、６０℃がより好ましい。接続シート接着剤層４ｃの軟化温度が上記下限未満の場合、当該フラットケーブル分岐構造１の耐熱性（高温での強度維持性）が不十分となるおそれがある。
【００７１】
接続シート接着剤層４ｃのガラス転移温度の上限としては、１３０℃が好ましく、１２０℃がより好ましく、１１０℃がさらに好ましい。接続シート接着剤層４ｃのガラス転移温度が上記上限を超える場合、当該フラットケーブル分岐構造１の接着強度が不十分となるおそれがある。一方、接続シート接着剤層４ｃのガラス転移温度の下限としては、−２０℃が好ましく、−１０℃がより好ましい。接続シート接着剤層４ｃのガラス転移温度が上記下限未満の場合、当該フラットケーブル分岐構造１の耐熱性（高温での強度維持性）が不十分となるおそれがある。
【００７２】
接続シート接着剤層４ｃの形成方法は特に限定されないが、例えば上記樹脂を溶剤に溶かして上記導電性バンプ４ａ及び非導電性バンプ４ｂの周囲に印刷する方法を用いることができる。この溶剤としては印刷時に目詰まりを起こさないように沸点の高いものが好ましく、例えばイソホロン、ベンジルアルコール、ブチルカルビトールアセテート、シクロヘキサン等を用いることができる。
【００７３】
接続シート接着剤層４ｃの平均厚さの上限としては、４０μｍが好ましく、３０μｍがより好ましい。接続シート接着剤層４ｃの平均厚さが上記上限を超える場合、導電性バンプ４ａによる導体間の電気的接続性が低下するおそれや、当該フラットケーブル分岐構造１が不要に厚くなるおそれがある。一方、接続シート接着剤層４ｃの平均厚さの下限としては、５μｍが好ましく、１０μｍがより好ましい。接続シート接着剤層４ｃの平均厚さが上記下限未満の場合、当該フラットケーブル分岐構造１の接着強度が不十分となるおそれがある。
【００７４】
＜接続シートの製造方法＞
接続シート４は、例えば以下の方法で製造することができる。
【００７５】
まず、図７Ａに示すように離型フィルムＸの表面に導電性ペーストを印刷して複数の導電性バンプ４ａを形成する。この導電性ペーストの印刷方法としては特に限定されず、例えばスクリーン印刷、グラビア印刷、オフセット印刷、フレキソ印刷、インクジェット印刷、ディスペンサ印刷等を用いることができる。また、導電性ペーストを印刷後、例えば７０〜９０℃の温度で１０〜６０分程度乾燥させることが好ましい。
【００７６】
次に、図７Ｂに示すように離型フィルムＸの表面に絶縁樹脂を印刷して複数の非導電性バンプ４ｂを形成する。この絶縁樹脂の印刷方法は、上記導電性ペーストの印刷方法と同様とすることができる。また、絶縁樹脂を印刷後、例えば７０〜９０℃の温度で１０〜６０分程度乾燥させることが好ましい。なお、非導電性バンプ４ｂを導電性バンプ４ａより先に形成してもよい。
【００７７】
導電性バンプ４ａ及び非導電性バンプ４ｂの形成後、図７Ｃに示すように接着剤を離型フィルムＸの表面におけるバンプの周囲に印刷することで接続シート接着剤層４ｃを形成する。この接着剤の印刷方法は、上記導電性ペーストの印刷方法と同様とすることができる。また、接着剤を印刷後、例えば７０〜９０℃の温度で１０〜６０分程度乾燥させることが好ましい。
【００７８】
接続シート接着剤層４ｃの形成後、離型フィルムＸを剥離することで接続シート４を得ることができる。なお、離型フィルムＸとしては、表面に離型性を有するものであれば特に限定されず、例えばポリエチレンテレフタレートフィルムの表面にシリコーン系の離型剤を塗工したものを用いることができる。
【００７９】
＜保護フィルム＞
保護フィルム５は、保護フィルム接着剤層５ａを介して、第２導体３ａの表面側に積層される絶縁性のフィルムである。
【００８０】
保護フィルム５の材質としては、上記フラットケーブル本体２の絶縁フィルム２ｂと同様のものを用いることができる。また、保護フィルム５の平均厚さも上記フラットケーブル本体２の絶縁フィルム２ｂと同様とすることができる。
【００８１】
保護フィルム接着剤層５ａの材質及び平均厚さは、上記フラットケーブル本体２のフラットケーブル接着剤層２ｃと同様とすることができる。なお、保護フィルム接着剤層５ａは、軟化温度及びガラス転移温度が上記接続シート４の非導電性バンプ４ｂよりも低いことが好ましい。
【００８２】
保護フィルム接着剤層５ａの軟化温度の上限としては、１５０℃が好ましく、１４０℃がより好ましく、１３０℃がさらに好ましい。保護フィルム接着剤層５ａの軟化温度が上記上限を超える場合、当該フラットケーブル分岐構造１の熱圧着時の温度を高くするする必要があるため生産性が低下するおそれがある。一方、保護フィルム接着剤層５ａの軟化温度の下限としては、５０℃が好ましく、６０℃がより好ましい。保護フィルム接着剤層５ａの軟化温度が上記下限未満の場合、当該フラットケーブル分岐構造１の耐熱性（高温での強度維持性）が不十分となるおそれがある。
【００８３】
保護フィルム接着剤層５ａのガラス転移温度の上限としては、１３０℃が好ましく、１２０℃がより好ましく、１１０℃がさらに好ましい。保護フィルム接着剤層５ａのガラス転移温度が上記上限を超える場合、当該フラットケーブル分岐構造１の接着強度が不十分となるおそれがある。一方、保護フィルム接着剤層５ａのガラス転移温度の下限としては、−２０℃が好ましく、−１０℃がより好ましい。保護フィルム接着剤層５ａのガラス転移温度が上記下限未満の場合、当該フラットケーブル分岐構造１の耐熱性（高温での強度維持性）が不十分となるおそれがある。
【００８４】
第１導体２ａの表面から保護フィルム５の裏面までの平均距離の上限としては、１００μｍが好ましく、８０μｍがより好ましい。第１導体２ａの表面から保護フィルム５の裏面までの平均距離が上記上限を超える場合、当該フラットケーブル分岐構造１が不要に厚くなるおそれがある。一方、第１導体２ａの表面から保護フィルム５の裏面までの平均距離の下限としては、２０μｍが好ましく、４０μｍがより好ましい。第１導体２ａの表面から保護フィルム５の裏面までの平均距離が上記下限未満の場合、接着剤の充填量が小さくなるため、当該フラットケーブル分岐構造１の接着強度が不十分となるおそれがある。
【００８５】
＜利点＞
当該フラットケーブル分岐構造１は、導通させる第１導体２ａ及び第２導体３ａの交差部（第１交差部）に導電性バンプ４ａを有し、それ以外の導通させない第１導体２ａ及び第２導体３ａの交差部（第２交差部）に非導電性バンプ４ｂを有する接続シート４を備えている。そのため、当該フラットケーブル分岐構造１は、第１導体２ａ及び第２導体３ａの間にこの接続シート４を配設し圧着により分岐構造を得ることで容易にこれらの導体を接続することができる。また、第１導体２ａ及び第２導体３ａの交差部全てにバンプが配設されているため、分岐構造の厚さのバラツキが抑えられ、当該フラットケーブル分岐構造１は高い接着強度及び接続信頼性を有する。
【００８６】
また、当該フラットケーブル分岐構造１は、上記導電性バンプ４ａ及び非導電性バンプ４ｂが接続シート接着剤層４ｃ表面より突出しているため、分岐構造の厚さのバラツキを抑えつつ、第１導体２ａ及び第２導体３ａをより確実に電気的に接続することができる。さらに接続シート４の裏面が平坦、すなわち上記導電性バンプ４ａ及び非導電性バンプ４ｂの底面が接続シート接着剤層４ｃ裏面と面一とであるため、接続シート４を第１導体２ａに積層する際の位置決めが容易になるほか、接続シート接着剤層４ｃの裏面をより確実にフラットケーブル本体２に接着させることができるため、接着強度をより高めることができる。
【００８７】
さらに、当該フラットケーブル分岐構造１は、非導電性バンプ４ｂを第２交差部毎に配設しているため、接続シート接着剤層４ｃの平面面積が大きく接着強度に優れる。
【００８８】
また、当該フラットケーブル分岐構造１は、第２導体３ａの表面側に保護フィルム接着剤層５ａを介して保護フィルム５が被覆されているため、接着強度をより高めることができる。
【００８９】
なお、当該フラットケーブル分岐構造１は、第１導体２ａ及び第２導体３ａの本数や導通させる導体の組合せが変化しても、上記接続シート４の導電性バンプ４ａ及び非導電性バンプ４ｂの配設を適宜変更することで容易に対応することができる。
【００９０】
＜分岐フラットケーブル＞
当該フラットケーブル分岐構造１を有する分岐フラットケーブルは、フラットケーブル本体２の第１導体２ａとフラットケーブル分岐体３の第２導体３ａとが、接続シート４を介して接続されている。つまり、当該分岐フラットケーブルは複数の第１導体２ａを有するフラットケーブル本体２と、複数の第２導体３ａを有するフラットケーブル分岐体３と、対向配設された第１導体２ａ及び第２導体３ａ間に積層される接続シート４と、第２導体３ａの外面側を被覆する保護フィルム５とを備える。そのため、当該分岐フラットケーブルは、製造性及び信頼性に優れる。
【００９１】
＜分岐フラットケーブルの製造方法＞
当該分岐フラットケーブルは、以下の工程を有する製造方法によって容易かつ確実に製造することができる。
（１）フラットケーブル本体２の第１導体２ａの第２導体３ａとの対向面側を露出させる工程
（２）フラットケーブル分岐体３の第２導体３ａの端部の両面側を露出させる工程
（３）第１導体２ａ及び第２導体３ａ間に接続シート４を重畳する工程
（４）第２導体３ａの対向面と反対側に保護フィルム５を積層する工程
（５）第１導体２ａ、第２導体３ａ、接続シート４及び保護フィルム５を熱圧着する工程
【００９２】
＜（１）第１導体露出工程＞
第１導体露出工程において、図８Ａに示すようにフラットケーブル本体２のフラットケーブル分岐体３と交差して重ね合わさる領域（重ね合わせ領域）において、表面側（重ね合わせ方向側）の絶縁フィルム２ｂを剥離し、さらに第１導体２ａの表面側の接着剤を除去する。これにより、第１導体２ａの第２導体３ａとの対向面側を露出させる。
【００９３】
＜（２）第２導体露出工程＞
第２導体露出工程において、フラットケーブル分岐体３の長手方向の一端において表面及び裏面側の絶縁フィルム３ｂを剥離し、さらに第２導体３ａの表面及び裏面側の接着剤を除去する。これにより、第２導体３ａの両面側を露出させる。なお、フラットケーブル分岐体３の製造時に予め端部の導体が露出するよう絶縁フィルムを被覆させてもよい。
【００９４】
＜（３）重畳工程＞
重畳工程において、図８Ｂに示すように第１導体２ａの露出表面に接続シート４を積層し、その表面に図８Ｃに示すようにさらにフラットケーブル分岐体３の第２導体３ａを積層して、接続シート４をこれらの導体間に重畳する。このとき、第１導体２ａと第２導体３ａとが交差する各交差部に導電性バンプ４ａ又は非導電性バンプ４ｂが位置するように調整する。
【００９５】
＜（４）保護フィルム積層工程＞
保護フィルム積層工程において、図８Ｄに示すように第２導体３ａの対向面と反対側（表面側）に保護フィルム接着剤層５ａを裏面に積層した保護フィルム５を積層する。
【００９６】
熱圧着前の保護フィルム接着剤層５ａの平均厚さの上限としては、５０μｍが好ましく、４０μｍがより好ましい。熱圧着前の保護フィルム接着剤層５ａの平均厚さが上記上限を超える場合、第１導体２ａと導電性バンプ４ａとの間に接着剤が入り込んでこれらの接続性が低下するおそれや、分岐フラットケーブルの分岐構造部分が不要に厚くなるおそれがある。一方、熱圧着前の保護フィルム接着剤層５ａの平均厚さの下限としては、１０μｍが好ましく、２０μｍがより好ましい。熱圧着前の保護フィルム接着剤層５ａの平均厚さが上記下限未満の場合、熱圧着時の押し込み残量が不足し、つまり熱圧着時の押し込みによって導電性バンプ４ａ又は非導電性バンプ４ｂの周囲に接着剤が充填されず、分岐フラットケーブルの分岐構造部分の接着強度が不十分となるおそれがある。
【００９７】
＜（５）熱圧着工程＞
熱圧着工程において、第１導体２ａ、第２導体３ａ、接続シート４及び保護フィルム５の積層体を熱圧着する。具体的には、積層した保護フィルム５の表面に緩衝材を載置し、その上からヒートツールで熱圧着する。この緩衝材としては、熱圧着時に上記積層体の端部から漏出する接着剤が付着しない材質のものが好ましく、例えばポリテトラフルオロエチレン製のシートを用いることができる。
【００９８】
上記熱圧着工程における加熱温度としては、上記非導電性バンプ４ｂ、フラットケーブル本体２及びフラットケーブル分岐体３の絶縁フィルム、並びに保護フィルム５の軟化温度以下、かつ接続シート４の接続シート接着剤層４ｃ、フラットケーブル本体２のフラットケーブル接着剤層２ｃ、及び保護フィルム接着剤層５ａのガラス転移温度以上とすることが好ましく、上記非導電性バンプ４ｂ、フラットケーブル本体２及びフラットケーブル分岐体３の絶縁フィルム、並びに保護フィルム５のガラス転移温度以下、かつ接続シート４の接続シート接着剤層４ｃ、フラットケーブル本体２のフラットケーブル接着剤層２ｃ、及び保護フィルム接着剤層５ａの軟化温度以上とすることがより好ましい。このように加熱温度を設定することで、各絶縁フィルム及び非導電性バンプ４ｂの変形を抑えつつ、各接着剤を軟化させて各部材を確実に接着することができる。熱圧着工程における具体的な加熱温度としては、例えば５０℃以上２００℃以下とすることができる。
【００９９】
上記熱圧着工程における加圧荷重としては、例えば０．５ＭＰａ以上５ＭＰａ以下とすることができる。また、加圧時間としては、例えば１秒以上３０秒以下とすることができる。
【０１００】
なお、当該分岐フラットケーブルの製造方法で形成されるフラットケーブルの分岐構造において、分岐構造の端部に形成され、保護フィルム５がフラットケーブル本体２又はフラットケーブル分岐体３の絶縁フィルムと対向しない領域（片面のみに絶縁フィルムが積層されている領域）は、外力によって折り曲りやすい。そのため、上記熱圧着工程後、この部分を含めて補強テープで分岐構造を被覆することが好ましい。この補強テープとしては、例えばポリエチレンテレフタレートフィルムに接着剤を塗工したものを用いることができる。
【０１０１】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【０１０２】
上記実施形態では、フラットケーブル本体とフラットケーブル分岐体とを略直角に交差するように重ね合わせたが、フラットケーブル本体とフラットケーブル分岐体とはこれ以外の角度で交差させることも可能である。この場合にも、フラットケーブル本体とフラットケーブル分岐体との交差によって形成される第１導体及び第２導体の交差部に導電性バンプ及び非導電性バンプを形成することで、当該フラットケーブル分岐構造を得ることができる。
【０１０３】
また、フラットケーブル本体にフラットケーブル本体よりも少ない導体を有するフラットケーブル分岐体を接続してもよく、フラットケーブル分岐体は１の導体を有するものであってもよい。
【０１０４】
さらに、上記実施形態では、接続シートの導電性バンプ及び非導電性バンプが突出した側が第２導体に当接し、フラットな面が第１導体に積層されるように接続シートを配設したが、導電性バンプ及び非導電性バンプが突出した側が第１導体に当接するように接続シートを配設してもよい。ただし、接続シートを安定して配置させるため、フラットな面が第１導体に積層されるように接続シートを配設することが好ましい。
【０１０５】
また、接続シートにおいて、導電性バンプ及び非導電性バンプは必ずしも接着剤層の表面又は裏面から突出していなくてもよく、また接着剤層の表面及び裏面の双方から突出していてもよい。ただし、分岐構造の平坦性を確保するために、導電性バンプ及び非導電性バンプの突出高さは略同一とすることが好ましい。
【０１０６】
さらに、上記実施形態では非導電性バンプを第２交差部毎に設けたが、複数の第２交差部に跨るような棒状や板状の非導電性バンプを設けてもよい。
【０１０７】
また、保護フィルムは第２導体を接続シートに積層する前に第２導体に積層してもよい。さらに、フラットケーブル分岐体の表面側（フラットケーブル本体との対向面と反対側）の絶縁フィルムを残しておいて保護フィルムの積層を省略することも可能である。
【０１０８】
なお、第１導体及び第２導体へのメッキは必須のものではなく、メッキ層を有さない導体を用いてもよい。
【産業上の利用可能性】
【０１０９】
本発明のフラットケーブルの分岐構造は、交差するフラットケーブルの導体同士を容易かつ確実に接続することができる。また、本発明の分岐フラットケーブルは、製造性及び接続信頼性に優れる。
【符号の説明】
【０１１０】
１  フラットケーブル分岐構造
２  フラットケーブル本体
２ａ  第１導体
２ｂ  絶縁フィルム
２ｃ  フラットケーブル接着剤層
３  フラットケーブル分岐体
３ａ  第２導体
３ｂ  絶縁フィルム
４  接続シート
４ａ  導電性バンプ
４ｂ  非導電性バンプ
４ｃ  接続シート接着剤層
５  保護フィルム
５ａ  保護フィルム接着剤層
【図１】
2014220084.tif 000003
【図２】
2014220084.tif 000004
【図３】
2014220084.tif 000005
【図４】
2014220084.tif 000006
【図５】
2014220084.tif 000007
【図６】
2014220084.tif 000008
【図７Ａ】
2014220084.tif 000009
【図７Ｂ】
2014220084.tif 000010
【図７Ｃ】
2014220084.tif 000011
【図８Ａ】
2014220084.tif 000012
【図８Ｂ】
2014220084.tif 000013
【図８Ｃ】
2014220084.tif 000014
【図８Ｄ】
2014220084.tif 000015